(57)【要約】【課題】多心テープ心線において、光ファイバテープ心線の識別作業性を向上させることである。【解決手段】多心テープ心線１０は、複数の単位テープ心線を並列に配置して拘束部材で拘束した複合テープ心線１１〜１５を複数備え、各単位テープ心線内の基準となる一端に配置された光ファイバ心線は、同じ複合テープ心線の各単位テープ心線ごとに異なる色の第1色で着色され、各単位テープ心線内の第1色で着色された光ファイバ心線以外の少なくとも１つの光ファイバ心線は、第２色で着色され、第２色は、同じ複合テープ心線の各単位テープ心線の間では同色系となり、異なる複合テープ心線の各単位テープ心線の間では異色となるようにし、残りの光ファイバ心線は、第１色及び第２色に使用される色以外の色でかつＪＩＳＺ８７２９におけるＬ＊ａ＊ｂ＊表色系の彩度Ｃ＊が４０以下の色で着色されるか、または非着色とする。【選択図】図１
2011175100.tif 000002
【特許請求の範囲】
【請求項１】
多数の光ファイバ心線を備える多心テープ心線であって、
複数の光ファイバ心線を並列に配置した単位集合心線を複数有し、
複数の単位集合心線を並列に配置し、前記複数の単位集合心線を拘束する透光性の拘束部材で前記複数の単位集合心線を拘束した複合テープ心線を複数備え、
各単位集合心線内の基準となる一端に配置された光ファイバ心線は、同じ複合テープ心線に含まれる各単位集合心線ごとに異なる色の第1色で着色され、
前記各単位集合心線内の第1色で着色された光ファイバ心線以外の少なくとも１つの光ファイバ心線は、第２色で着色され、前記第２色は、前記同じ複合テープ心線に含まれる各単位集合心線の間では同色系となり、異なる複合テープ心線に含まれる各単位集合心線の間では異色となるようにし、
前記各単位集合心線に含まれる残りの光ファイバ心線は、前記第１色及び前記第２色に使用される色以外の色でかつＪＩＳＺ８７２９におけるＬ＊ａ＊ｂ＊表色系の彩度Ｃ＊が４０以下の色で着色されるか、または非着色であり、
前記各複合テープ心線は、前記第２色で強調される色で識別され、前記各複合テープ心線に含まれる各単位集合心線は、前記第1色で識別されることを特徴とする多心テープ心線。
【請求項２】
多数の光ファイバ心線を備える多心テープ心線であって、
３心以上の光ファイバ心線を並列に配置した単位集合心線を複数有し、
複数の単位集合心線を並列に配置し、前記複数の単位集合心線を拘束する透光性の拘束部材で前記複数の単位集合心線を拘束した複合テープ心線を複数備え、
各単位集合心線内の基準となる一端に配置された光ファイバ心線は、同じ複合テープ心線に含まれる各単位集合心線ごとに異なる色の第1色で着色され、
前記各単位集合心線内の第1色で着色された光ファイバ心線以外の少なくとも１つの光ファイバ心線は、第２色で着色され、前記第２色は、同じ複合テープ心線に含まれる各単位集合心線の間では同色系であり、
異なる複合テープ心線に含まれる各単位集合心線の間の前記第２色が同色である場合には、前記第２色は、お互いに異なる配置位置の光ファイバ心線に着色され、
前記各単位集合心線に含まれる残りの光ファイバ心線は、前記第１色及び前記第２色に使用される色以外の色でかつＪＩＳＺ８７２９におけるＬ＊ａ＊ｂ＊表色系の彩度Ｃ＊が４０以下の色で着色されるか、または非着色であり、
前記各複合テープ心線は、前記第２色で強調される色と、前記第２色が着色された光ファイバ心線の配置位置とで識別され、前記各複合テープ心線に含まれる各単位集合心線は、前記第１色で識別されることを特徴とする多心テープ心線。
【請求項３】
多数の光ファイバ心線を備える多心テープ心線であって、
３心以上の光ファイバ心線を並列に配置した単位集合心線を複数有し、
複数の単位集合心線を並列に配置し、前記複数の単位集合心線を拘束する透光性の拘束部材で前記複数の単位集合心線を拘束した複合テープ心線を複数備え、
前記各単位集合心線内の基準となる一端に配置された光ファイバ心線は、同じ複合テープ心線に含まれる各単位集合心線ごとに異なる色の第1色で着色され、
前記各単位集合心線内の第1色で着色された光ファイバ心線以外の少なくとも１つの光ファイバ心線は、第２色で着色され、前記第２色は、同じ複合テープ心線に含まれる各単位集合心線の間では同色系であり、
２つの異なる複合テープ心線に含まれる各単位集合心線の間の前記第２色が同色である場合には、一方の単位集合心線に含まれ、前記第1色で着色された光ファイバ心線及び前記第２色で着色された光ファイバ心線以外の光ファイバ心線に、前記第１色及び前記第２色に使用される色以外の色でかつＪＩＳＺ８７２９におけるＬ＊ａ＊ｂ＊表色系の彩度Ｃ＊が４０以下の第３色を着色し、
前記各単位集合心線に含まれる残りの光ファイバ心線は、前記第１色、前記第２色及び前記第３色に使用される色以外の色でかつＪＩＳＺ８７２９におけるＬ＊ａ＊ｂ＊表色系の彩度Ｃ＊が４０以下の色で着色されるか、または非着色であり、
前記各複合テープ心線は、前記第２色で強調される色と、前記第３色が着色された光ファイバ心線の有無とで識別され、前記各複合テープ心線に含まれる各単位集合心線は、前記第１色で識別されることを特徴とする多心テープ心線。
【請求項４】
多数の光ファイバ心線を備える多心テープ心線であって、
３心以上の光ファイバ心線を並列に配置した単位集合心線を複数有し、
複数の単位集合心線を並列に配置し、前記複数の単位集合心線を拘束する透光性の拘束部材で前記複数の単位集合心線を拘束した複合テープ心線を複数備え、
前記各単位集合心線内の基準となる一端に配置された光ファイバ心線は、同じ複合テープ心線に含まれる各単位集合心線ごとに異なる色の第1色で着色され、
前記各単位集合心線内の第1色で着色された光ファイバ心線以外の少なくとも１つの光ファイバ心線は、第２色で着色され、前記第２色は、同じ複合テープ心線に含まれる各単位集合心線の間では同色系であり、
２つの異なる複合テープ心線に含まれる各単位集合心線の間の前記第２色が同色である場合には、一方の単位集合心線に含まれ、前記第1色で着色された光ファイバ心線及び前記第２色で着色された光ファイバ心線以外の光ファイバ心線に、前記第１色及び前記第２色に使用される色以外の色でかつＪＩＳＺ８７２９におけるＬ＊ａ＊ｂ＊表色系の彩度Ｃ＊が４０以下の第３色を着色し、他方の単位集合心線に含まれ、前記第1色で着色された光ファイバ心線及び前記第２色で着色された光ファイバ心線以外の光ファイバ心線に、前記第１色、前記第２色及び前記第３色に使用される色以外の色でかつＪＩＳＺ８７２９におけるＬ＊ａ＊ｂ＊表色系の彩度Ｃ＊が４０以下の第４色を着色し、
前記各単位集合心線に含まれる残りの光ファイバ心線は、前記第１色、前記第２色、前記第３色及び前記第４色に使用される色以外の色でかつＪＩＳＺ８７２９におけるＬ＊ａ＊ｂ＊表色系の彩度Ｃ＊が４０以下の色で着色されるか、または非着色であり、
前記各複合テープ心線は、前記第２色で強調される色と、前記第３色及び前記第４色とで識別され、前記各複合テープ心線に含まれる各単位集合心線は、前記第１色で識別されることを特徴とする多心テープ心線。
【請求項５】
多数の光ファイバ心線を備える多心テープ心線であって、
３心以上の光ファイバ心線を並列に配置した単位集合心線を複数有し、
複数の単位集合心線を並列に配置し、前記複数の単位集合心線を拘束する透光性の拘束部材で前記複数の単位集合心線を拘束した複合テープ心線を複数備え、
各単位集合心線内の基準となる一端に配置された光ファイバ心線は、第1色で着色され、
前記各単位集合心線内の第1色で着色された光ファイバ心線以外の少なくとも１つの光ファイバ心線は、第２色で着色され、前記第２色は、同じ複合テープ心線に含まれる各単位集合心線の間では同色系となり、異なる複合テープ心線に含まれる各単位集合心線の間では異色となるようにし、前記同じ複合テープ心線に含まれる複数の単位集合心線の前記第１色が同色である場合には、前記第２色は、お互いに異なる配置位置の光ファイバ心線に着色され、
前記各単位集合心線に含まれる残りの光ファイバ心線は、前記第１色及び前記第２色に使用される色以外の色でかつＪＩＳＺ８７２９におけるＬ＊ａ＊ｂ＊表色系の彩度Ｃ＊が４０以下の色で着色されるか、または非着色であり、
前記各複合テープ心線は、前記第２色で強調される色で識別され、前記各複合テープ心線に含まれる各単位集合心線は、前記第２色が着色された光ファイバ心線の配置位置と、前記第１色とで識別されることを特徴とする多心テープ心線。
【請求項６】
多数の光ファイバ心線を備える多心テープ心線であって、
３心以上の光ファイバ心線を並列に配置した単位集合心線を複数有し、
複数の単位集合心線を並列に配置し、前記複数の単位集合心線を拘束する透光性の拘束部材で前記複数の単位集合心線を拘束した複合テープ心線を複数備え、
前記各単位集合心線内の基準となる一端に配置された光ファイバ心線は、第1色で着色され、
前記各単位集合心線内の第1色で着色された光ファイバ心線以外の少なくとも１つの光ファイバ心線は、第２色で着色され、前記第２色は、同じ複合テープ心線に含まれる各単位集合心線の間では同色系となり、異なる複合テープ心線に含まれる各単位集合心線の間では異色となるようにし、
同じ複合テープ心線に含まれる２つの単位集合心線の前記第１色が同色である場合には、一方の単位集合心線に含まれ、前記第1色で着色された光ファイバ心線及び前記第２色で着色された光ファイバ心線以外の光ファイバ心線に前記第１色及び前記第２色に使用される色以外の色でかつＪＩＳＺ８７２９におけるＬ＊ａ＊ｂ＊表色系の彩度Ｃ＊が４０以下の第３色を着色し、
前記各単位集合心線に含まれる残りの光ファイバ心線は、前記第１色、前記第２色及び前記第３色に使用される色以外の色でかつＪＩＳＺ８７２９におけるＬ＊ａ＊ｂ＊表色系の彩度Ｃ＊が４０以下の色で着色されるか、または非着色であり、
前記各複合テープ心線は、前記第２色で強調される色で識別され、前記各複合テープ心線に含まれる各単位集合心線は、前記第３色が着色された光ファイバ心線の有無と、前記第１色とで識別されることを特徴とする多心テープ心線。
【請求項７】
請求項１から６のいずれか１つに記載の多心テープ心線であって、
前記第1色と前記第２色とは、ＪＩＳＺ８７２９におけるＬ＊ａ＊ｂ＊表色系の彩度Ｃ＊が４０より大きい色であることを特徴とする多心テープ心線。
【請求項８】
請求項１から７のいずれか１つに記載の多心テープ心線であって、
前記第２色は、前記各単位集合心線に含まれる他端の光ファイバ心線に着色され、
前記各単位集合心線に含まれる光ファイバ心線の前記第1色と前記第２色とを同色系とする場合には、前記第２色を、前記第１色よりＪＩＳＺ８７２９におけるＬ＊ａ＊ｂ＊表色系の色差ΔＥｃｍｃを３０以下とすることを特徴とする多心テープ心線。
【請求項９】
請求項１から８のいずれか１つに記載の多心テープ心線であって、
前記単位集合心線は、単位テープ心線であることを特徴とする多心テープ心線。
【請求項１０】
光ケーブルであって、
請求項１から９のいずれか１つに記載の多心テープ心線を有するケーブルコアと、
前記ケーブルコアの外周に設けられ、合成樹脂で形成される外被と、
を備えることを特徴とする光ケーブル。
【発明の詳細な説明】
【技術分野】
【０００１】
本発明は、多心テープ心線及び光ケーブルに係り、特に、多数の光ファイバ心線を備える多心テープ心線及び光ケーブルに関する。
【背景技術】
【０００２】
従来、光ケーブルでは、ケーブル内に収納される光ファイバとして、光ファイバ同士を接続するときの作業性を向上させるために、複数本の光ファイバを並列に配置し、これを紫外線硬化樹脂等で拘束した光ファイバテープ心線が多く用いられている。この光ファイバテープ心線は、複数の光ファイバ心線を一括で融着接続あるいはコネクタ接続することが可能であるという大きなメリットがあるので、光ケーブルのケーブル内には、複数の光ファイバテープ心線が収納されている。
【０００３】
近年、光ファイバがアクセス系にまで広がってきており、光ケーブルからケーブル内に収納された複数の光ファイバテープ心線を個別に分岐する要求が高まっている。そのため、ケーブル内に収納された各光ファイバテープ心線を容易に識別して識別作業性を向上させるため、光ファイバテープ心線の識別方法が検討されている。
【０００４】
特許文献１には、各光ファイバテープ心線における一括被覆層の色を各光ファイバテープ心線ごとに互いに異なる色になるように配色し、多数枚の光ファイバテープ心線を識別できる光ファイバテープ心線の集合体が記載されている。特許文献２には、高密度ケーブルを構成する複合光ファイバテープについて、複合光ファイバテープ番号を表示するとともに、多数の単位テープのテープ番号を、分岐する各ユニット毎に表示できるようにその表示の仕方を工夫することが記載されている。
【先行技術文献】
【特許文献】
【０００５】
【特許文献１】特開２００３−２５５２０３号公報
【特許文献２】特開平８−２２０３９７号公報
【発明の概要】
【発明が解決しようとする課題】
【０００６】
ところで、複数本の光ファイバ心線を拘束する一括被覆層は、光ファイバテープ心線からの光ファイバ心線の分離作業を容易にするため、例えば、厚みが約５μｍ以下で形成される場合がある。このような薄い一括被覆層に光ケーブルに収納された複数の光ファイバテープ心線ごとに異なる色となるように配色して各光ファイバテープ心線を識別しようとしても、一括被覆層が薄いので着色された色を視認し難い場合があり、光ファイバテープ心線の識別作業が困難になる可能性がある。
【０００７】
そこで本発明の目的は、光ケーブル等に収納される光ファイバテープ心線の識別作業性をより向上させる多心テープ心線及び光ケーブルを提供することである。
【課題を解決するための手段】
【０００８】
本発明に係る多心テープ心線は、多数の光ファイバ心線を備える多心テープ心線であって、複数の光ファイバ心線を並列に配置した単位集合心線を複数有し、複数の単位集合心線を並列に配置し、前記複数の単位集合心線を拘束する透光性の拘束部材で前記複数の単位集合心線を拘束した複合テープ心線を複数備え、各単位集合心線内の基準となる一端に配置された光ファイバ心線は、同じ複合テープ心線に含まれる各単位集合心線ごとに異なる色の第1色で着色され、前記各単位集合心線内の第1色で着色された光ファイバ心線以外の少なくとも１つの光ファイバ心線は、第２色で着色され、前記第２色は、前記同じ複合テープ心線に含まれる各単位集合心線の間では同色系となり、異なる複合テープ心線に含まれる各単位集合心線の間では異色となるようにし、前記各単位集合心線に含まれる残りの光ファイバ心線は、前記第１色及び前記第２色に使用される色以外の色でかつＪＩＳＺ８７２９におけるＬ＊ａ＊ｂ＊表色系の彩度Ｃ＊が４０以下の色で着色されるか、または非着色であり、前記各複合テープ心線は、前記第２色で強調される色で識別され、前記各複合テープ心線に含まれる各単位集合心線は、前記第1色で識別されることを特徴とする。
【０００９】
本発明に係る多心テープ心線は、多数の光ファイバ心線を備える多心テープ心線であって、３心以上の光ファイバ心線を並列に配置した単位集合心線を複数有し、複数の単位集合心線を並列に配置し、前記複数の単位集合心線を拘束する透光性の拘束部材で前記複数の単位集合心線を拘束した複合テープ心線を複数備え、各単位集合心線内の基準となる一端に配置された光ファイバ心線は、同じ複合テープ心線に含まれる各単位集合心線ごとに異なる色の第1色で着色され、前記各単位集合心線内の第1色で着色された光ファイバ心線以外の少なくとも１つの光ファイバ心線は、第２色で着色され、前記第２色は、同じ複合テープ心線に含まれる各単位集合心線の間では同色系であり、異なる複合テープ心線に含まれる各単位集合心線の間の前記第２色が同色である場合には、前記第２色は、お互いに異なる配置位置の光ファイバ心線に着色され、前記各単位集合心線に含まれる残りの光ファイバ心線は、前記第１色及び前記第２色に使用される色以外の色でかつＪＩＳＺ８７２９におけるＬ＊ａ＊ｂ＊表色系の彩度Ｃ＊が４０以下の色で着色されるか、または非着色であり、前記各複合テープ心線は、前記第２色で強調される色と、前記第２色が着色された光ファイバ心線の配置位置とで識別され、前記各複合テープ心線に含まれる各単位集合心線は、前記第１色で識別されることを特徴とする。
【００１０】
本発明に係る多心テープ心線は、多数の光ファイバ心線を備える多心テープ心線であって、３心以上の光ファイバ心線を並列に配置した単位集合心線を複数有し、複数の単位集合心線を並列に配置し、前記複数の単位集合心線を拘束する透光性の拘束部材で前記複数の単位集合心線を拘束した複合テープ心線を複数備え、前記各単位集合心線内の基準となる一端に配置された光ファイバ心線は、同じ複合テープ心線に含まれる各単位集合心線ごとに異なる色の第1色で着色され、前記各単位集合心線内の第1色で着色された光ファイバ心線以外の少なくとも１つの光ファイバ心線は、第２色で着色され、前記第２色は、同じ複合テープ心線に含まれる各単位集合心線の間では同色系であり、２つの異なる複合テープ心線に含まれる各単位集合心線の間の前記第２色が同色である場合には、一方の単位集合心線に含まれ、前記第1色で着色された光ファイバ心線及び前記第２色で着色された光ファイバ心線以外の光ファイバ心線に、前記第１色及び前記第２色に使用される色以外の色でかつＪＩＳＺ８７２９におけるＬ＊ａ＊ｂ＊表色系の彩度Ｃ＊が４０以下の第３色を着色し、前記各単位集合心線に含まれる残りの光ファイバ心線は、前記第１色、前記第２色及び前記第３色に使用される色以外の色でかつＪＩＳＺ８７２９におけるＬ＊ａ＊ｂ＊表色系の彩度Ｃ＊が４０以下の色で着色されるか、または非着色であり、前記各複合テープ心線は、前記第２色で強調される色と、前記第３色が着色された光ファイバ心線の有無とで識別され、前記各複合テープ心線に含まれる各単位集合心線は、前記第１色で識別されることを特徴とする。
【００１１】
本発明に係る多心テープ心線は、多数の光ファイバ心線を備える多心テープ心線であって、３心以上の光ファイバ心線を並列に配置した単位集合心線を複数有し、複数の単位集合心線を並列に配置し、前記複数の単位集合心線を拘束する透光性の拘束部材で前記複数の単位集合心線を拘束した複合テープ心線を複数備え、前記各単位集合心線内の基準となる一端に配置された光ファイバ心線は、同じ複合テープ心線に含まれる各単位集合心線ごとに異なる色の第1色で着色され、前記各単位集合心線内の第1色で着色された光ファイバ心線以外の少なくとも１つの光ファイバ心線は、第２色で着色され、前記第２色は、同じ複合テープ心線に含まれる各単位集合心線の間では同色系であり、２つの異なる複合テープ心線に含まれる各単位集合心線の間の前記第２色が同色である場合には、一方の単位集合心線に含まれ、前記第1色で着色された光ファイバ心線及び前記第２色で着色された光ファイバ心線以外の光ファイバ心線に、前記第１色及び前記第２色に使用される色以外の色でかつＪＩＳＺ８７２９におけるＬ＊ａ＊ｂ＊表色系の彩度Ｃ＊が４０以下の第３色を着色し、他方の単位集合心線に含まれ、前記第1色で着色された光ファイバ心線及び前記第２色で着色された光ファイバ心線以外の光ファイバ心線に、前記第１色、前記第２色及び前記第３色に使用される色以外の色でかつＪＩＳＺ８７２９におけるＬ＊ａ＊ｂ＊表色系の彩度Ｃ＊が４０以下の第４色を着色し、前記各単位集合心線に含まれる残りの光ファイバ心線は、前記第１色、前記第２色、前記第３色及び前記第４色に使用される色以外の色でかつＪＩＳＺ８７２９におけるＬ＊ａ＊ｂ＊表色系の彩度Ｃ＊が４０以下の色で着色されるか、または非着色であり、前記各複合テープ心線は、前記第２色で強調される色と、前記第３色及び前記第４色とで識別され、前記各複合テープ心線に含まれる各単位集合心線は、前記第１色で識別されることを特徴とする。
【００１２】
本発明に係る多心テープ心線は、多数の光ファイバ心線を備える多心テープ心線であって、３心以上の光ファイバ心線を並列に配置した単位集合心線を複数有し、複数の単位集合心線を並列に配置し、前記複数の単位集合心線を拘束する透光性の拘束部材で前記複数の単位集合心線を拘束した複合テープ心線を複数備え、各単位集合心線内の基準となる一端に配置された光ファイバ心線は、第1色で着色され、前記各単位集合心線内の第1色で着色された光ファイバ心線以外の少なくとも１つの光ファイバ心線は、第２色で着色され、前記第２色は、同じ複合テープ心線に含まれる各単位集合心線の間では同色系となり、異なる複合テープ心線に含まれる各単位集合心線の間では異色となるようにし、前記同じ複合テープ心線に含まれる複数の単位集合心線の前記第１色が同色である場合には、前記第２色は、お互いに異なる配置位置の光ファイバ心線に着色され、前記各単位集合心線に含まれる残りの光ファイバ心線は、前記第１色及び前記第２色に使用される色以外の色でかつＪＩＳＺ８７２９におけるＬ＊ａ＊ｂ＊表色系の彩度Ｃ＊が４０以下の色で着色されるか、または非着色であり、前記各複合テープ心線は、前記第２色で強調される色で識別され、前記各複合テープ心線に含まれる各単位集合心線は、前記第２色が着色された光ファイバ心線の配置位置と、前記第１色とで識別されることを特徴とする。
【００１３】
本発明に係る多心テープ心線は、多数の光ファイバ心線を備える多心テープ心線であって、３心以上の光ファイバ心線を並列に配置した単位集合心線を複数有し、複数の単位集合心線を並列に配置し、前記複数の単位集合心線を拘束する透光性の拘束部材で前記複数の単位集合心線を拘束した複合テープ心線を複数備え、前記各単位集合心線内の基準となる一端に配置された光ファイバ心線は、第1色で着色され、前記各単位集合心線内の第1色で着色された光ファイバ心線以外の少なくとも１つの光ファイバ心線は、第２色で着色され、前記第２色は、同じ複合テープ心線に含まれる各単位集合心線の間では同色系となり、異なる複合テープ心線に含まれる各単位集合心線の間では異色となるようにし、同じ複合テープ心線に含まれる２つの単位集合心線の前記第１色が同色である場合には、一方の単位集合心線に含まれ、前記第1色で着色された光ファイバ心線及び前記第２色で着色された光ファイバ心線以外の光ファイバ心線に前記第１色及び前記第２色に使用される色以外の第３色を着色し、前記各単位集合心線に含まれる残りの光ファイバ心線は、前記第１色、前記第２色及び前記第３色に使用される色以外の色でかつＪＩＳＺ８７２９におけるＬ＊ａ＊ｂ＊表色系の彩度Ｃ＊が４０以下の色で着色されるか、または非着色であり、前記各複合テープ心線は、前記第２色で強調される色で識別され、前記各複合テープ心線に含まれる各単位集合心線は、前記第３色が着色された光ファイバ心線の有無と、前記第１色とで識別されることを特徴とする。
【００１４】
本発明に係る多心テープ心線において、前記第1色と前記第２色とは、ＪＩＳＺ８７２９におけるＬ＊ａ＊ｂ＊表色系の彩度Ｃ＊が４０より大きい色であることが好ましい。
【００１５】
本発明に係る多心テープ心線において、前記第２色は、前記各単位集合心線に含まれる他端の光ファイバ心線に着色され、前記各単位集合心線に含まれる光ファイバ心線の前記第1色と前記第２色とを同色系とする場合には、前記第２色を、前記第１色よりＪＩＳＺ８７２９におけるＬ＊ａ＊ｂ＊表色系の色差ΔＥｃｍｃを３０以下とすることが好ましい。
【００１６】
本発明に係る多心テープ心線において、前記単位集合心線は、単位テープ心線であることが好ましい。
【００１７】
本発明に係る光ケーブルは、上記の多心テープ心線を有するケーブルコアと、前記ケーブルコアの外周に設けられ、合成樹脂で形成される外被と、を備えることを特徴とする。
【発明の効果】
【００１８】
上記構成の多心テープ心線及び光ケーブルによれば、着色された光ファイバ心線に基づいて複合テープ心線や単位集合心線を識別できるので識別作業性をより向上させることができる。
【図面の簡単な説明】
【００１９】
【図１】本発明の実施の形態において、多心テープ心線の構成を示す断面図である。
【図２】本発明の実施の形態において、多心テープ心線を構成する光ファイバ心線に着色される配色パターンを示す図である。
【図３】本発明の実施の形態において、第２色を各単位テープ心線内の別の位置に配置された光ファイバ心線に着色した場合における配色パターンを示す図である。
【図４】本発明の実施の形態において、第２色を各単位テープ心線内の複数の光ファイバ心線に着色した場合における配色パターンを示す図である。
【図５】本発明の実施の形態において、各単位テープ心線内の基準となる一端から２番目の光ファイバ心線に青色を着色し、基準となる一端から３番目の光ファイバ心線に赤色を着色して配色した多心テープ心線供試体の配色パターンを示す図である。
【図６】本発明の実施の形態において、各単位テープ心線内の基準となる一端から２番目の光ファイバ心線に青色を着色し、基準となる一端から３番目の光ファイバ心線に彩度Ｃ＊が４０以下である灰色を着色して配色した多心テープ心線供試体の配色パターンを示す図である。
【図７】本発明の実施の形態において、各単位テープ心線内の基準となる一端から２番目の光ファイバ心線に彩度Ｃ＊が４０以下である白色を着色し、基準となる一端から３番目の光ファイバ心線を非着色として配色した多心テープ心線供試体の配色パターンを示す図である。
【図８】本発明の実施の形態において、各単位テープ心線内の基準となる一端から２番目の光ファイバ心線に彩度Ｃ＊が４０以下である灰色を着色し、基準となる一端から３番目の光ファイバ心線を非着色として配色した多心テープ心線供試体の配色パターンを示す図である。
【図９】本発明の実施の形態において、各単位テープ心線内の基準となる一端から２番目の光ファイバ心線に彩度Ｃ＊が４０以下である桃色を着色し、基準となる一端から３番目の光ファイバ心線に彩度Ｃ＊が４０以下である水色を着色して配色した多心テープ心線供試体の配色パターンを示す図である。
【図１０】本発明の実施の形態において、第２色で着色された光ファイバ心線の全てにリングマーク印刷を行った多心テープ心線の配色パターンを示す図である。
【図１１】本発明の実施の形態において、第２色で着色された光ファイバ心線の一部にリングマーク印刷を行った多心テープ心線の配色パターンを示す図である。
【図１２】本発明の実施の形態において、多心テープ心線の構成を示す断面図である。
【図１３】本発明の実施の形態において、多心テープ心線を構成する光ファイバ心線に着色される配色パターンを示す図である。
【図１４】本発明の実施の形態において、多心テープ心線の他の配色パターンを示す図である。
【図１５】本発明の実施の形態において、多心テープ心線の別の配色パターンを示す図である。
【図１６】本発明の実施の形態において、多心テープ心線の更に別の配色パターンを示す図である。
【図１７】本発明の実施の形態において、多心テープ心線の構成を示す断面図である。
【図１８】本発明の実施の形態において、多心テープ心線を構成する光ファイバ心線に着色される配色パターンを示す図である。
【図１９】本発明の実施の形態において、多心テープ心線の他の配色パターンを示す図である。
【図２０】本発明の実施の形態において、多心テープ心線の更に他の配色パターンを示す図である。
【図２１】本発明の実施の形態において、多心テープ心線の別な配色パターンを示す図である。
【図２２】本発明の実施の形態において、多心テープ心線の更に別な配色パターンを示す図である。
【図２３】本発明の実施の形態において、他の複合テープ心線の構成を示す断面図である。
【図２４】本発明の実施の形態において、更に他の複合テープ心線の構成を示す断面図である。
【図２５】本発明の実施の形態において、別な複合テープ心線の構成を示す断面図である。
【図２６】本発明の実施の形態において、光ケーブルの構成を示す断面図である。
【図２７】本発明の実施の形態において、他の光ケーブルの構成を示す断面図である。
【発明を実施するための形態】
【００２０】
以下に、本発明の実施の形態について図面を用いて詳細に説明する。図１は、多心テープ心線１０の構成を示す断面図である。
【００２１】
多心テープ心線１０は、５本の複合テープ心線１１〜１５から構成されている。各複合テープ心線１１〜１５は、４心の単位集合心線としての単位テープ心線を５本並列に配置し、５本の単位テープ心線を拘束する透光性の拘束部材としての機能を有する被覆材２２で拘束された構成を有している。例えば、複合テープ心線１１は、５本の単位テープ心線１１Ａ〜１１Ｅが被覆材２２で拘束されている。
【００２２】
単位テープ心線１１Ａ〜１１Ｅ、１２Ａ〜１２Ｅ、１３Ａ〜１３Ｅ、１４Ａ〜１４Ｅ、１５Ａ〜１５Ｅは、４心の光ファイバ心線ａ〜ｄを並列に配置し、４心の光ファイバ心線を拘束する透光性の拘束部材としての機能を有する被覆材２４で拘束された構成を有している。なお、被覆材２２、２４は、後述するように、光ファイバ心線に着色された色をより正確に識別できるように非着色であることが好ましい。
【００２３】
光ファイバ心線ａ〜ｄは、例えば、石英ガラスで形成される光ファイバ裸線３０と、光ファイバ裸線３０の外周に軟質及び硬質紫外線硬化樹脂等で被覆される第1樹脂層３２と、第1樹脂層３２の外周に設けられ、着色顔料が添加された紫外線硬化樹脂等で形成される第２樹脂層３４と、を有している。着色顔料には、一般的に、光ファイバ心線に使用されている顔料を用いることができる。なお、光ファイバ心線を着色する必要がない場合には、第２樹脂層３４を形成しないか、または着色顔料が添加されていない紫外線硬化樹脂等で第２樹脂層３４が形成される。
【００２４】
このように、多心テープ心線１０は、１００心の光ファイバ心線を備えている。なお、多心テープ心線１０に含まれる単位テープ心線を構成する光ファイバ心線の本数は、４心に限定されず、例えば、８心、１２心等の２心以上であればよい。
【００２５】
次に、多心テープ心線１０を構成する光ファイバ心線に着色される色について説明する。図２は、多心テープ心線１０を構成する光ファイバ心線に着色される配色パターンを示す図である。
【００２６】
各単位テープ心線１１Ａ〜１５Ｅ内の基準となる一端に配置された光ファイバ心線（トレーサ光ファイバ心線）ａは、同じ複合テープ心線に含まれる各単位テープ心線を識別するために、同じ複合テープ心線に含まれる各単位テープ心線ごとに異なる色の第１色（すなわち第１色とは、トレーサ光ファイバ心線の色を意味する。）で着色される。
【００２７】
第１色には、視認しやすいように、青色、黄色、緑色、赤色、紫色等のＪＩＳＺ８７２９におけるＬ＊ａ＊ｂ＊表色系の彩度Ｃ＊が４０より大きい色を使用することが好ましい。勿論、第１色は、これらの色に限定されることはなく、白色、茶色、灰色、桃色、黒色、水色等でもよい。
【００２８】
第1複合テープ心線１１の場合には、単位テープ心線１１Ａの左端に配置された光ファイバ心線ａが青色に着色され、単位テープ心線１１Ｂの左端に配置された光ファイバ心線ａが黄色に着色され、単位テープ心線１１Ｃの左端に配置された光ファイバ心線ａが緑色に着色され、単位テープ心線１１Ｄの左端に配置された光ファイバ心線ａが赤色に着色され、単位テープ心線Ｅの左端に配置された光ファイバ心線ａが紫色に着色されている。複合テープ心線１２〜１５についても、複合テープ心線１１と同様にして各単位テープ心線内の基準となる一端に配置された光ファイバ心線（トレーサ光ファイバ心線）ａに第１色が着色されている。このように、基準となる一端に配置された光ファイバ心線（トレーサ光ファイバ心線）ａに、単位テープ心線ごとに異なる第１色を着色することにより、同じ複合テープ心線に含まれる各単位テープ心線を第１色に基づいて識別できる。また、第１色が着色された光ファイバ心線（トレーサ光ファイバ心線）ａを基準として、各単位テープ心線に含まれる残りの光ファイバ心線ｂ、ｃ、ｄを識別することができる。
【００２９】
各単位テープ心線内の第１色で着色された光ファイバ心線（トレーサ光ファイバ心線）ａ以外の光ファイバ心線ｂ、ｃ、ｄの少なくとも１つ（サブトレーサ光ファイバ心線）は、各複合テープ心線を識別するために、第２色で着色される（すなわち第２色とは、サブトレーサ光ファイバ心線の色を意味する。なお、サブトレーサ光ファイバ心線は、光ファイバ心線ｄであることが好ましい。）。同じ複合テープ心線に含まれる各単位テープ心線の間では第２色を同色系とし、異なる複合テープ心線に含まれる各単位テープ心線の間では第２色を異色とするようにサブトレーサ光ファイバ心線に着色される。
【００３０】
第２色には、視認しやすいように、青色、黄色、緑色、赤色、紫色等のＪＩＳＺ８７２９におけるＬ＊ａ＊ｂ＊表色系の彩度Ｃ＊が４０より大きい色を使用することが好ましい。勿論、第２色は、これらの色に限定されることはなく、白色、茶色、灰色、桃色、黒色、水色等でもよい。
【００３１】
同色系とは、一方の色と他方の色とが同色の場合と、一方の色に対して他方の色がＪＩＳＺ８７２９におけるＬ＊ａ＊ｂ＊表色系の色差ΔＥｃｍｃが３０以下である色の場合を意味する。そのため、一方の色に対して他方の色がＪＩＳＺ８７２９におけるＬ＊ａ＊ｂ＊表色系の色差ΔＥｃｍｃが３０以下である色の場合には、異色から除かれる。
【００３２】
各単位テープ心線内の光ファイバ心線に着色された第１色と第２色とを同色系とする場合には、第２色を第１色に対してＪＩＳＺ８７２９におけるＬ＊ａ＊ｂ＊表色系の色差ΔＥｃｍｃを３０以下の色とすることが好ましい。このような構成とすることにより、第1色と第２色との色差により基準となる一端の光ファイバ心線を識別することができる。勿論、他の条件次第では、各単位テープ心線含まれる光ファイバ心線に着色される第１色と第２色とが同色となるようにしてもよい。
【００３３】
なお、各単位テープ心線中のサブトレーサ光ファイバ心線の色は、そのサブトレーサ光ファイバ心線が属する単位テープ心線中のトレーサ光ファイバ心線の色と同一となる場合を除いて、相互に同じ色であることが好ましい。サブトレーサ光ファイバ心線の色が、そのサブトレーサ光ファイバ心線が属する単位テープ心線に含まれるトレーサ光ファイバ心線の色と同一となる場合には、そのサブトレーサ光ファイバ心線の色は、トレーサ光ファイバ心線の色に対してＪＩＳＺ８７２９におけるＬ＊ａ＊ｂ＊表色系の色差ΔＥｃｍｃを３０以下の色とすることが好ましい。
【００３４】
複合テープ心線１１では、単位テープ心線１１Ａの右端に配置された光ファイバ心線ｄが薄青色に着色され、単位テープ心線１１Ｂ〜１１Ｅの右端に配置された光ファイバ心線ｄが青色に着色されている。
【００３５】
複合テープ心線１２では、単位テープ心線１２Ａ、１２Ｃ〜１２Ｅの右端に配置された光ファイバ心線ｄが黄色に着色され、単位テープ心線１２Ｂの右端に配置された光ファイバ心線ｄが薄黄色に着色されている。
【００３６】
複合テープ心線１３では、単位テープ心線１３Ａ、１３Ｂ、１３Ｄ、１３Ｅの右端に配置された光ファイバ心線ｄが緑色に着色され、単位テープ心線１３Ｃの右端に配置された光ファイバ心線ｄが薄緑色に着色されている。
【００３７】
複合テープ心線１４では、単位テープ心線１４Ａ〜１４Ｃ、１４Ｅの右端に配置された光ファイバ心線ｄが赤色に着色され、単位テープ心線１４Ｄの右端に配置された光ファイバ心線ｄが薄赤色に着色されている。
【００３８】
複合テープ心線１５では、単位テープ心線１５Ａ〜１５Ｄの右端に配置された光ファイバ心線ｄが紫色に着色され、単位テープ心線１５Ｅの右端に配置された光ファイバ心線ｄが薄紫色に着色されている。
【００３９】
同じ複合テープ心線に含まれる各単位テープ心線の光ファイバ心線に着色される第１色は、各単位テープ心線の間で異なる色であるのに対して、第２色は同色系であるので複合テープ心線では第２色が強調される。複合テープ心線１１では青色が強調され、複合テープ心線１２では黄色が強調され、複合テープ心線１３では緑色が強調され、複合テープ心線１４では赤色が強調され、複合テープ心線１５では紫色が強調される。そのため、複合テープ心線１１〜１５は、第２色で強調される色に基づいて容易に識別される。
【００４０】
また、各複合テープ心線１１〜１５において、単位テープ心線内で第1色と第２色とを同色系とする場合には、第1色に対してＪＩＳＺ８７２９におけるＬ＊ａ＊ｂ＊表色系の色差ΔＥｃｍｃが３０以下である薄青色、薄黄色、薄緑色、薄赤色、薄紫色を第２色に用いているので、第1色と第２色との色差により基準となる一端の光ファイバ心線を識別することができる。
【００４１】
第２色は、各単位テープ心線内の右端に配置された光ファイバ心線ｄだけでなく、各単位テープ心線内の第1色が着色された光ファイバ心線ａ以外の他の位置に配置された光ファイバ心線ｂ、ｃに着色されてもよい。図３は、第２色を各単位テープ心線内の別の位置に配置された光ファイバ心線に着色した場合における配色パターンを示す図である。図３に示す多心テープ心線１０の配色パターンでは、第２色は、基準となる一端の光ファイバ心線から３番目の位置に配置された光ファイバ心線ｃに着色されている。なお、第２色は、各単位テープ心線内の基準となる一端に配置された光ファイバ心線ａと反対側である他端に配置された光ファイバ心線ｄに着色されることが識別性の点から好ましい。
【００４２】
また、第２色は、各単位テープ心線内の第1色が着色された光ファイバ心線ａ以外の複数の光ファイバ心線に着色されてもよい。図４は、第２色を各単位テープ心線内の複数の光ファイバ心線ｃ、ｄに着色した場合における配色パターンを示す図である。図４に示す多心テープ心線１０の配色パターンでは、第２色は、基準となる一端の光ファイバ心線ａから３番目の位置の光ファイバ心線ｃと右端の光ファイバ心線ｄとに着色されている。このように、各単位テープ心線内に第２色に着色された光ファイバ心線を増やすことにより、各複合テープ心線１１〜１５では第２色がより強調されて各複合テープ心線１１〜１５の識別がより容易になる。
【００４３】
再び、図２に戻り、各単位テープ心線１１Ａ〜１５Ｅにおいて、第１色で着色された光ファイバ心線ａ及び第２色で着色された光ファイバ心線ｄ以外の残りの光ファイバ心線ｂ、ｃは、第１色及び第２色に使用される色以外の色でＪＩＳＺ８７２９におけるＬ＊ａ＊ｂ＊表色系の彩度Ｃ＊が４０以下の色で着色されるか、または非着色とすることが好ましい。
【００４４】
ＪＩＳＺ８７２９におけるＬ＊ａ＊ｂ＊表色系の彩度Ｃ＊が４０以下の色としては、例えば、白色、灰色、桃色、水色、茶色、黒等である。各単位テープ心線内の残りの光ファイバ心線ｂ、ｃを第１色及び第２色に使用される色以外の色でＪＩＳＺ８７２９におけるＬ＊ａ＊ｂ＊表色系の彩度Ｃ＊が４０以下の色で着色または非着色とすることにより、第１色と第２色とをより明確に視認することができる。各単位テープ心線内の残りの光ファイバ心線ｂ、ｃは、同色で着色されてもよいし、各々異なる色で着色されてもよい。また、着色された光ファイバ心線と非着色の光ファイバ心線とを組み合わせてもよい。
【００４５】
ここで、単位テープ心線の第１色で着色された光ファイバ心線ａ及び第２色で着色された光ファイバ心線ｄ以外の光ファイバ心線ｂ、ｃに種々の色を着色し、複合テープ心線の識別性を評価した。識別性試験には、５種類の配色パターンの多心テープ心線供試体を使用した。５種類の多心テープ心線供試体では、各単位テープ心線内の光ファイバ心線ａ、ｄの着色をいずれも図２示す配色パターンの多心テープ心線１０と同じにした。なお、光ファイバ心線の着色には、ＤＳＭ社製やＪＳＲ社製のデソライト等のコーティング材を使用した。
【００４６】
図５は、各単位テープ心線内の基準となる一端から２番目の光ファイバ心線ｂに青色を着色し、基準となる一端から３番目の光ファイバ心線ｃに赤色を着色して配色した多心テープ心線供試体の配色パターンを示す図である。
【００４７】
図６は、各単位テープ心線内の基準となる一端から２番目の光ファイバ心線ｂに青色を着色し、基準となる一端から３番目の光ファイバ心線ｃに灰色を着色して配色した多心テープ心線供試体の配色パターンを示す図である。
【００４８】
図７は、各単位テープ心線内の基準となる一端から２番目の光ファイバ心線ｂに白色を着色し、基準となる一端から３番目の光ファイバ心線ｃを非着色として配色した多心テープ心線供試体の配色パターンを示す図である。
【００４９】
図８は、各単位テープ心線内の基準となる一端から２番目の光ファイバ心線ｂに灰色を着色し、基準となる一端から３番目の光ファイバ心線ｃを非着色として配色した多心テープ心線供試体の配色パターンを示す図である。
【００５０】
図９は、各単位テープ心線内の基準となる一端から２番目の光ファイバ心線ｂに桃色を着色し、基準となる一端から３番目の光ファイバ心線ｃに水色を着色して配色した多心テープ心線供試体の配色パターンを示す図である。
【００５１】
識別性試験は、上記の図５から図９の配色パターンの多心テープ心線供試体を各々白色の紙の上に配置し、多心テープ心線供試体から約４０ｃｍ離れた距離から多心テープ心線を１０人で目視し、多心テープ心線供試体を構成する各複合テープ心線を目視で識別可能か否かで評価した。その結果、図７、８、９の配色パターンの多心テープ心線供試体では、全員が各複合テープ心線を識別することができた。
【００５２】
なお、各単位テープ心線１１Ａ〜１５Ｅの第１色で着色された光ファイバ心線ａまたは第２色で着色された光ファイバ心線ｄに、識別性をより向上させるためにリングマーク印刷を行ってもよい。図１０は、第２色で着色された光ファイバ心線ｄの全てにリングマーク印刷を行った多心テープ心線の配色パターンを示す図である。図１１は、第２色で着色された光ファイバ心線ｄの一部にリングマーク印刷を行った多心テープ心線の配色パターンを示す図である。
【００５３】
図１０及び図１１に示す多心テープ心線の配色パターンでは、複合テープ心線１１の単位テープ心線１１Ａ、複合テープ心線１２の単位テープ心線１２Ｂ、複合テープ心線１３の単位テープ心線１３Ｃ、複合テープ心線１４の単位テープ心線１４Ｄ、複合テープ心線１５の単位テープ心線１５Ｅにおいて、第２色を第１色と同色としており、その他は、図２に示す配色パターンの多心テープ心線１０の配色パターンと同様である。
【００５４】
図１０及び図１１に示すように、第２色で着色された光ファイバ心線ｄにリングマーク印刷することにより、単位テープ心線内の光ファイバ心線に着色される第１色と第２色とが同色である単位テープ心線１１Ａ、１２Ｂ、１３Ｃ、１４Ｄ、１５Ｅの場合でも、基準となる一端の光ファイバ心線ａを容易に識別することができる。なお、リングマーク印刷には、一般的に、光ファイバ心線で用いられている印刷方法が使用できる。
【００５５】
また、上記構成では、第１色に使用される色からなる色群から選択される色である第２色に用いているが、当然、第１色に使用されていない色を第２色に用いてもよい。例えば、図２に示す配色パターンの多心テープ心線１０において、複合テープ心線１１に用いられる薄青色及び青色に代えて白色を用いてもよく、複合テープ心線１２に用いられる薄黄色及び黄色に代えて茶色を用いてもよく、複合テープ心線１３に用いられる薄緑色及び緑色に代えて灰色を用いてもよく、複合テープ心線１４に用いられる薄赤色及び赤色に代えて桃色を用いてもよく、複合テープ心線１５に用いられる薄紫色及び紫色に代えて橙色を用いてもよい。なお、識別のために使用する色数を減らすためには、第１色に使用される色と第２色に使用される色とを共用することが好ましい。
【００５６】
このように、図２から図４に示す配色パターンの多心テープ心線１０によれば、まず、複合テープ心線１１〜１５を第２色で強調される色に基づいて識別し、次に複合テープ心線１１〜１５に含まれる各単位テープ心線を第１色に基づいて識別することにより識別作業性が向上する。また、図２から図４に示す配色パターンの多心テープ心線１０によれば、着色された光ファイバ心線の配置位置等を確認しなくても複合テープ心線１１〜１５と、複合テープ心線１１〜１５に含まれる各単位テープ心線を識別できるので識別作業が容易になる。
【００５７】
また、サブトレーサ光ファイバ心線の色である第２色の設定等は、次のように纏めることもできる。すなわち、複合テープ心線ごとに相互に異なり、複合テープ心線を他の複合テープ心線から識別するサブトレーサ光ファイバ心線の色は、以下のように決定される色Ｃｊｋ＝ｎを有するように設定される。
【００５８】
但し、ｊは、複合テープ心線における各単位テープ心線の位置番号を表し、各複合テープ心線に含まれる単位テープ心線の総数をＪとするとき、ｊ＝１、２、・・・Ｊであり、ｋは、各単位テープ心線中における各光ファイバ心線の位置番号を表し、各単位テープ心線中の光ファイバ心線の総数をＫとするとき、ｋ＝１、２、・・・Ｋであり、ｎは、各単位テープ心線におけるサブトレーサ光ファイバ心線の位置を表し、ｎ＝２、３、・・・Ｋである）。例えば、図２に示す配色パターンの多心テープ心線１０では、各複合テープ心線に含まれる単位テープ心線の総数Ｊ＝５であり、単位テープ心線Ａがｊ＝１、単位テープ心線Ｂがｊ＝２、単位テープ心線Ｃがｊ＝３、単位テープ心線Ｄがｊ＝４、単位テープ心線Ｅがｊ＝５に対応している。また、各単位テープ心線中の光ファイバ心線の総数Ｋ＝４であり、光ファイバ心線ａがｋ＝１、光ファイバ心線ｂがｋ＝２、光ファイバ心線ｃがｋ＝３、光ファイバ心線ｄがｋ＝４に対応している。
【００５９】
［サブトレーサ光ファイバ心線の色Ｃｊｋ＝ｎの決定方法］
（１）ＪＩＳＺ８７２９におけるＬ＊ａ＊ｂ＊表色系の彩度Ｃ＊が４０より大きい複数の色からなる色群から選択された色Ｃ０が、同じｊ番目の単位テープ心線中のトレーサ光ファイバ心線の色Ｃｊｋ＝１と異なる色である場合には、サブトレーサ光ファイバ心線の色Ｃｊｋ＝ｎを色Ｃ０とする。
【００６０】
（２）ＪＩＳＺ８７２９におけるＬ＊ａ＊ｂ＊表色系の彩度Ｃ＊が４０より大きい複数の色からなる色群から選択された色Ｃ０が、同じｊ番目の単位テープ心線中のトレーサ光ファイバ心線の色Ｃｊｋ＝１と同じ色である場合には、トレーサ光ファイバ心線の色Ｃｊｋ＝１に対してＪＩＳＺ８７２９におけるＬ＊ａ＊ｂ＊表色系の色差ΔＥｃｍｃが３０以下である色とする。
【００６１】
各単位テープ心線は、トレーサ光ファイバ心線とサブトレーサ光ファイバ心線との間に、ＪＩＳＺ８７２９におけるＬ＊ａ＊ｂ＊表色系の彩度Ｃ＊が４０以下の色（無彩色を含む）で着色されるか、透明色である光ファイバ心線を有することが好ましい。各単位テープ心線は、同じ数の複数の光ファイバ心線を有していることが好ましい。
【００６２】
各単位テープ心線は、４本以上の複数の光ファイバ心線を含み、サブトレーサ光ファイバ心線は、各単位テープ心線においてトレーサ光ファイバ心線が位置する一端の反対側の他端に位置し、各単位テープ心線に含まれる残りの光ファイバ心線は、ＪＩＳＺ８７２９におけるＬ＊ａ＊ｂ＊表色系の彩度Ｃ＊が４０以下の色（無彩色を含む）または透明色から選択される色を有していることが好ましい。
【００６３】
以上、上記構成の多心テープ心線によれば、４心の光ファイバ心線を並列に配置した単位テープ心線を２５本有し、５本の単位テープ心線を並列に配置し、５本の単位テープ心線を拘束する透光性の被覆材で５本の単位テープ心線を拘束した複合テープ心線を５本備え、各単位テープ心線内の基準となる一端に配置された光ファイバ心線は、同じ複合テープ心線に含まれる各単位テープ心線ごとに異なる色の第1色で着色され、各単位テープ心線内の第1色で着色された光ファイバ心線以外の少なくとも１つの光ファイバ心線は、第２色で着色され、第２色は、同じ複合テープ心線に含まれる各単位テープ心線の間では同色系となり、異なる複合テープ心線に含まれる各単位テープ心線の間では異色となるようにし、各単位テープ心線に含まれる残りの光ファイバ心線は、第１色及び第２色に使用される色以外の色でかつＪＩＳＺ８７２９におけるＬ＊ａ＊ｂ＊表色系の彩度Ｃ＊が４０以下の色で着色されるか、または非着色であるので、各複合テープ心線は、第２色で強調される色で識別され、各複合テープ心線に含まれる各単位テープ心線は、第1色で識別される。
【００６４】
次に、他の多心テープ心線について説明する。図１２は、他の多心テープ心線４０の構成を示す断面図である。なお、同様な要素には同一の符号を付し、詳細な説明を省略する。多心テープ心線４０は、１０本の複合テープ心線４１〜５０を備えている。各複合テープ心線４１〜５０は、４心の単位テープ心線を５本並列に配置し、５本の単位テープ心線を拘束する透光性の拘束部材としての機能を有する被覆材２２で拘束された構成を有している。例えば、複合テープ心線４１は、５本の単位テープ心線４１Ａ〜４１Ｅが被覆材２２で拘束されている。
【００６５】
このように、多心テープ心線４０は、２００心の光ファイバ心線を備えている。なお、多心テープ心線４０に含まれる単位テープ心線を構成する光ファイバ心線の本数は、４心に限定されず、例えば、８心、１２心等の３心以上であればよい。
【００６６】
次に、多心テープ心線４０を構成する光ファイバ心線に着色される色について説明する。図１３は、多心テープ心線４０を構成する光ファイバ心線に着色される配色パターンを示す図である。
【００６７】
複合テープ心線４１から複合テープ心線４５までは、図２に示す配色パターンの多心テープ心線１０と同じ配色パターンで配色されている。複合テープ心線４６〜５０の各単位テープ心線の基準となる一端に配置された光ファイバ心線（トレーサ光ファイバ心線）ａには、複合テープ心線４１〜４５と同じ配色パターンで青色、黄色、緑色、赤色、紫色の順に第１色が着色されている。
【００６８】
そして、複合テープ心線４６〜５０のサブトレーサ光ファイバ心線に着色される第２色として、複合テープ心線４６では単位テープ心線４６Ａ〜４６Ｅの右端に配置された光ファイバ心線ｄに白色が着色され、複合テープ心線４７では単位テープ心線４７Ａ〜４７Ｅの右端に配置された光ファイバ心線ｄに茶色が着色され、複合テープ心線４８では単位テープ心線４８Ａ〜４８Ｅの右端に配置された光ファイバ心線ｄに灰色が着色され、複合テープ心線４９では単位テープ心線４９Ａ〜４９Ｅの右端に配置された光ファイバ心線ｄに桃色が着色され、複合テープ心線５０では単位テープ心線５０Ａ〜５０Ｅの右端に配置された光ファイバ心線ｄに橙色が着色されている。
【００６９】
そのため、複合テープ心線４１では青色が強調され、複合テープ心線４２では黄色が強調され、複合テープ心線４３では緑色が強調され、複合テープ心線４４では赤色が強調され、複合テープ心線４５では紫色が強調され、複合テープ心線４６では白色が強調され、複合テープ心線４７では茶色が強調され、複合テープ心線４８では灰色が強調され、複合テープ心線４９では桃色が強調され、複合テープ心線５０では橙色が強調される。
【００７０】
図１３に示す配色パターンで多心テープ心線４０を構成することにより、複合テープ心線４１〜５０を第２色で強調される色に基づいて識別し、各複合テープ心線４１〜５０に含まれる単位テープ心線を第１色に基づいて識別することにより識別作業性が向上する。また、図１３に示す配色パターンの多心テープ心線４０によれば、着色された光ファイバ心線の配置位置等を確認しなくても複合テープ心線４１〜５０と、複合テープ心線４１〜５０に含まれる各単位テープ心線を識別できるので識別作業が容易になる。
【００７１】
以上、上記構成の多心テープ心線によれば、４心の光ファイバ心線を並列に配置した単位テープ心線を５０本有し、５本の単位テープ心線を並列に配置し、５本の単位テープ心線を拘束する透光性の被覆材で５本の単位テープ心線を拘束した複合テープ心線を１０本備え、各単位テープ心線内の基準となる一端に配置された光ファイバ心線は、同じ複合テープ心線に含まれる各単位テープ心線ごとに異なる色の第1色で着色され、各単位テープ心線内の第1色で着色された光ファイバ心線以外の少なくとも１つの光ファイバ心線は、第２色で着色され、第２色は、同じ複合テープ心線に含まれる各単位テープ心線の間では同色系となり、異なる複合テープ心線に含まれる各単位テープ心線の間では異色となるようにし、各単位テープ心線に含まれる残りの光ファイバ心線は、第１色及び第２色に使用される色以外の色でかつＪＩＳＺ８７２９におけるＬ＊ａ＊ｂ＊表色系の彩度Ｃ＊が４０以下の色で着色されるか、または非着色であるので、各複合テープ心線は、第２色で強調される色で識別され、各複合テープ心線に含まれる各単位テープ心線は、第1色で識別される。
【００７２】
図１４は、多心テープ心線４０の他の配色パターンを示す図である。複合テープ心線４１〜４５は、図２に示す配色パターンの多心テープ心線１０と同じ配色パターンで配色されている。複合テープ心線４６〜５０は、図３に示す配色パターンの多心テープ心線１０と同じ配色パターンで配色されている。複合テープ心線４６〜５０では、複合テープ心線４１〜４５に対して、各単位テープ心線に含まれる第２色が着色されるサブトレーサ光ファイバ心線の配置位置が異なっている。複合テープ心線４１〜４５では、光ファイバ心線ｄに第２色が着色され、複合テープ心線４６〜５０では、光ファイバ心線ｃに第２色が着色されている。
【００７３】
図１４に示す配色パターンの多心テープ心線４０によれば、まず、青色が強調される複合テープ心線４１、４６、黄色が強調される複合テープ心線４２、４７、緑色が強調される複合テープ心線４３、４８、赤色が強調される複合テープ心線４４、４９、紫色が強調される複合テープ心線４５、５０を識別する。その後、各２つの複合テープ心線は、各単位テープ心線内の第２色が着色された光ファイバ心線ｃ、ｄの位置により識別される。例えば、青色が強調される複合テープ心線４１と複合テープ心線４６とを識別する場合には、複合テープ心線４１に含まれる各単位テープ心線４１Ａ〜４１Ｅの青色が着色された光ファイバ心線ｄと、複合テープ心線４６に含まれる各単位テープ心線４６Ａ〜４６Ｅの青色が着色された光ファイバ心線ｃとにより識別すればよい。
【００７４】
このように、図１４で示す配色パターンにより多心テープ心線４０を構成することにより、複合テープ心線４１〜５０は、第２色で強調される色と、第２色が着色された光ファイバ心線の配置位置とに基づいて識別され、複合テープ心線４１〜５０に含まれる各単位テープ心線は、第１色に基づいて識別されるので識別作業性が向上する。また、図１４に示す配色パターンの多心テープ心線４０によれば、複合テープ心線４１〜５０を第２色で強調される色と、第２色が着色されたサブトレーサ光ファイバ心線の配置位置とに基づいて識別することにより、図１３に示す配色パターンの多心テープ心線４０より光ファイバ心線の着色に使用する色数を少なくすることができる。
【００７５】
以上、上記構成の多心テープ心線によれば、４心の光ファイバ心線を並列に配置した単位テープ心線を５０本有し、５本の単位テープ心線を並列に配置し、５本の単位テープ心線を拘束する透光性の被覆材で５本の単位テープ心線を拘束した複合テープ心線を１０本備え、各単位テープ心線内の基準となる一端に配置された光ファイバ心線は、同じ複合テープ心線に含まれる各単位テープ心線ごとに異なる色の第1色で着色され、各単位テープ心線内の第1色で着色された光ファイバ心線以外の少なくとも１つの光ファイバ心線は、第２色で着色され、第２色は、同じ複合テープ心線に含まれる各単位テープ心線の間では同色系であり、異なる複合テープ心線に含まれる各単位テープ心線の間の第２色が同色である場合には、第２色は、お互いに異なる配置位置の光ファイバ心線に着色され、各単位テープ心線に含まれる残りの光ファイバ心線は、第１色及び第２色に使用される色以外の色でかつＪＩＳＺ８７２９におけるＬ＊ａ＊ｂ＊表色系の彩度Ｃ＊が４０以下の色で着色されるか、または非着色であるので、各複合テープ心線は、第２色で強調される色と、第２色が着色された光ファイバ心線の配置位置とで識別され、各複合テープ心線に含まれる各単位テープ心線は、第１色で識別される。
【００７６】
図１５は、多心テープ心線４０の別な配色パターンを示す図である。複合テープ心線４１〜４５までは、図２に示す配色パターンの多心テープ心線１０と同じ配色パターンで配色されている。複合テープ心線４６〜５０までは、複合テープ心線４１〜４５の配色パターンに加えて、各単位テープ心線４６Ａ〜５０Ｅに含まれる第１色が着色された光ファイバ心線（トレーサ光ファイバ心線）ａ及び第２色が着色された光ファイバ心線（サブトレーサ光ファイバ心線）ｄ以外の光ファイバ心線ｃに、同色系の２つの複合テープ心線を識別するための第３色が着色されている。第３色には、第１色及び第２色に使用される色以外の色でかつＪＩＳＺ８７２９におけるＬ＊ａ＊ｂ＊表色系の彩度Ｃ＊が４０以下の色が用いられる。図１５の配色パターンの多心テープ心線４０では、第３色には灰色が使用されている。
【００７７】
図１５に示す多心テープ心線４０の配色パターンによれば、まず、青色が強調される複合テープ心線４１、４６、黄色が強調される複合テープ心線４２、４７、緑色が強調される複合テープ心線４３、４８、赤色が強調される複合テープ心線４４、４９、紫色が強調される複合テープ心線４５、５０に識別した後、各単位テープ心線内の第３色が着色された光ファイバ心線の有無に基づいて、例えば、複合テープ心線４１と複合テープ心線４６とを識別すればよいので、複合テープ心線４１〜５０を容易に識別できる。
【００７８】
このように、図１５で示す配色パターンで多心テープ心線４０を構成することにより、複合テープ心線４１〜５０は、第３色の有無と第２色で強調される色とに基づいて識別され、各複合テープ心線４１〜５０に含まれる各単位テープ心線は、第１色に基づいて識別されるので、光ファイバ心線の識別作業性が向上する。また、図１５に示す配色パターンの多心テープ心線４０によれば、複合テープ心線４１〜５０を第３色の有無と第２色で強調される色とに基づいて識別することにより、図１３に示す配色パターンの多心テープ心線４０より光ファイバ心線の着色に使用する色数を少なくすることができる。
【００７９】
以上、上記構成の多心テープ心線によれば、４心の光ファイバ心線を並列に配置した単位テープ心線を５０本有し、５本の単位テープ心線を並列に配置し、５本の単位テープ心線を拘束する透光性の被覆材で５本の単位テープ心線を拘束した複合テープ心線を１０本備え、各単位テープ心線内の基準となる一端に配置された光ファイバ心線は、同じ複合テープ心線に含まれる各単位テープ心線ごとに異なる色の第1色で着色され、各単位テープ心線内の第1色で着色された光ファイバ心線以外の少なくとも１つの光ファイバ心線は、第２色で着色され、第２色は、同じ複合テープ心線に含まれる各単位テープ心線の間では同色系であり、２つの異なる複合テープ心線に含まれる各単位テープ心線の間の第２色が同色である場合には、一方の単位テープ心線に含まれ、第1色で着色された光ファイバ心線及び第２色で着色された光ファイバ心線以外の光ファイバ心線に、第１色及び第２色に使用される色以外の色でかつＪＩＳＺ８７２９におけるＬ＊ａ＊ｂ＊表色系の彩度Ｃ＊が４０以下の第３色を着色し、各単位テープ心線に含まれる残りの光ファイバ心線は、第１色、第２色及び第３色に使用される色以外の色でかつＪＩＳＺ８７２９におけるＬ＊ａ＊ｂ＊表色系の彩度Ｃ＊が４０以下の色で着色されるか、または非着色であるので、各複合テープ心線は、第２色で強調される色と、第３色が着色された光ファイバ心線の有無とで識別され、各複合テープ心線に含まれる各単位テープ心線は、第１色で識別される。
【００８０】
図１６は、多心テープ心線４０の更に別な配色パターンを示す図である。複合テープ心線４１〜４５は、図２に示す多心テープ心線１０の配色パターンに加えて、第１色が着色された光ファイバ心線（トレーサ光ファイバ心線）ａ及び第２色が着色された光ファイバ心線（サブトレーサ光ファイバ心線）ｄ以外の光ファイバ心線ｃに、同色系の２つの複合テープ心線を識別するための第３色が着色されている。第３色には、第１色及び第２色に使用される色以外の色でかつＪＩＳＺ８７２９におけるＬ＊ａ＊ｂ＊表色系の彩度Ｃ＊が４０以下の色が用いられる。図１６の配色パターンの多心テープ心線４０では、第３色には灰色が使用されている。
【００８１】
複合テープ心線４６〜５０は、図２に示す多心テープ心線１０の配色パターンに加えて、第１色が着色された光ファイバ心線（トレーサ光ファイバ心線）ａ及び第２色が着色された光ファイバ心線（サブトレーサ光ファイバ心線）ｄ以外の光ファイバ心線ｂ、ｃに、同色系の２つの複合テープ心線を識別するための第４色が着色されている。第４色には、第１色、第２色及び第３色に使用される色以外の色でかつＪＩＳＺ８７２９におけるＬ＊ａ＊ｂ＊表色系の彩度Ｃ＊が４０以下の色が用いられる。図１６の配色パターンの多心テープ心線４０では、第４色には水色と桃色とが使用されている。なお、図１６に示す配色パターンでは、２本の光ファイバ心線ｂ、ｃに着色される第４色には異なる色を用いているが、２本の光ファイバ心線ｂ、ｃに着色される第４色を同色としてもよい。また、２本の光ファイバ心線ｂ、ｃのどちらか一方にのみ第４色を着色してもよい。
【００８２】
図１６に示す多心テープ心線４０の配色パターンによれば、まず、青色が強調される複合テープ心線４１、４６、黄色が強調される複合テープ心線４２、４７、緑色が強調される複合テープ心線４３、４８、赤色が強調される複合テープ心線４４、４９、紫色が強調される複合テープ心線４５、５０に識別した後、各単位テープ心線内の第３色または第４色が着色された光ファイバ心線に基づいて、例えば、複合テープ心線４１と複合テープ心線４６とを識別すればよいので、複合テープ心線４１〜５０を容易に識別できる。
【００８３】
このように、図１６で示す配色パターンで多心テープ心線４０を構成することにより、複合テープ心線４１〜５０は、第２色で強調される色と、第３色及び第４色とに基づいて識別され、各複合テープ心線４１〜５０に含まれる各単位テープ心線は、第１色に基づいて識別されるので、光ファイバ心線の識別作業性が向上する。また、図１６に示す配色パターンの多心テープ心線４０によれば、複合テープ心線４１〜５０を第２色で強調される色と、第３色及び第４色とに基づいて識別することにより、図１３に示す配色パターンの多心テープ心線４０より光ファイバ心線の着色に使用する色数を少なくすることができる。
【００８４】
以上、上記構成の多心テープ心線によれば、４心の光ファイバ心線を並列に配置した単位テープ心線を５０本有し、５本の単位テープ心線を並列に配置し、５本の単位テープ心線を拘束する透光性の被覆材で５本の単位テープ心線を拘束した複合テープ心線を１０本備え、各単位テープ心線内の基準となる一端に配置された光ファイバ心線は、同じ複合テープ心線に含まれる各単位テープ心線ごとに異なる色の第1色で着色され、各単位テープ心線内の第1色で着色された光ファイバ心線以外の少なくとも１つの光ファイバ心線は、第２色で着色され、第２色は、同じ複合テープ心線に含まれる各単位テープ心線の間では同色系であり、２つの異なる複合テープ心線に含まれる各単位テープ心線の間の第２色が同色である場合には、一方の単位テープ心線に含まれ、第1色で着色された光ファイバ心線及び第２色で着色された光ファイバ心線以外の光ファイバ心線に、第１色及び第２色に使用される色以外の色でかつＪＩＳＺ８７２９におけるＬ＊ａ＊ｂ＊表色系の彩度Ｃ＊が４０以下の第３色を着色し、他方の単位テープ心線に含まれ、第1色で着色された光ファイバ心線及び第２色で着色された光ファイバ心線以外の光ファイバ心線に、第１色、第２色及び第３色に使用される色以外の色でかつＪＩＳＺ８７２９におけるＬ＊ａ＊ｂ＊表色系の彩度Ｃ＊が４０以下の第４色を着色し、各単位テープ心線に含まれる残りの光ファイバ心線は、第１色、第２色、第３色及び第４色に使用される色以外の色でかつＪＩＳＺ８７２９におけるＬ＊ａ＊ｂ＊表色系の彩度Ｃ＊が４０以下の色で着色されるか、または非着色であり、各複合テープ心線は、前記第２色で強調される色と、第３色及び第４色とで識別され、各複合テープ心線に含まれる各単位テープ心線は、第１色で識別される。
【００８５】
次に、別な多心テープ心線について説明する。図１７は、多心テープ心線７０の構成を示す断面図である。なお、同様な要素には同一の符号を付し、詳細な説明を省略する。多心テープ心線７０は、５本の複合テープ心線７１〜７５を備えている。各複合テープ心線７１〜７５は、４心の単位テープ心線を１０本並列に配置し、１０本の単位テープ心線を拘束する透光性の拘束部材としての機能を有する被覆材２２で拘束された構成を有している。例えば、複合テープ心線７１は、１０本の単位テープ心線７１Ａ〜７１Ｊが被覆材２２で拘束されている。
【００８６】
このように、多心テープ心線７０は、２００心の光ファイバ心線を備えている。なお、多心テープ心線７０に含まれる単位テープ心線を構成する光ファイバ心線の本数は、４心に限定されず、例えば、８心、１２心等の３心以上であればよい。
【００８７】
次に、多心テープ心線７０を構成する光ファイバ心線に着色される配色パターンについて説明する。図１８は、多心テープ心線７０を構成する光ファイバ心線に着色される配色パターンを示す図である。
【００８８】
各単位テープ心線７１Ａ〜７５Ｊ内の基準となる一端に配置された光ファイバ心線（トレーサ光ファイバ心線）ａは、同じ複合テープ心線に含まれる各単位テープ心線を識別するために、同じ複合テープ心線の各単位テープ心線ごとに異なる色の第１色で着色される。
【００８９】
複合テープ心線７１では、単位テープ心線７１Ａの左端に配置された光ファイバ心線ａが青色に着色され、単位テープ心線７１Ｂの左端に配置された光ファイバ心線ａが黄色に着色され、単位テープ心線７１Ｃの左端に配置された光ファイバ心線ｃが緑色に着色され、単位テープ心線７１Ｄの左端に配置された光ファイバ心線ａが赤色に着色され、単位テープ心線７１Ｅの左端に配置された光ファイバ心線ａが紫色に着色され、単位テープ心線７１Ｆの左端に配置された光ファイバ心線ａが白色に着色され、単位テープ心線７１Ｇの左端に配置された光ファイバ心線ａが茶色に着色され、単位テープ心線７１Ｈの左端に配置された光ファイバ心線ａが灰色に着色され、単位テープ心線７１Ｉの左端に配置された光ファイバ心線ａが桃色に着色され、単位テープ心線７１Ｊの左端に配置された光ファイバ心線ａが橙色に着色されている。複合テープ心線７２〜７５についても、複合テープ心線７１と同様の配色パターンで第１色が着色されている。
【００９０】
各単位テープ心線内の第１色で着色された光ファイバ心線ａ以外の少なくとも１つの光ファイバ心線（サブトレーサ光ファイバ心線）ｄは、複合テープ心線７１〜７５を識別するために第２色が着色されている。
【００９１】
複合テープ心線７１では、単位テープ心線７１Ａの右端に配置された光ファイバ心線ｄが薄青色に着色され、他の単位テープ心線７１Ｂ〜７１Ｊの右端に配置された光ファイバ心線ｄが青色に着色されている。
【００９２】
複合テープ心線７２では、単位テープ心線７２Ｂの右端に配置された光ファイバ心線ｄが薄黄色に着色され、他の単位テープ心線７２Ａ、７２Ｂ〜７２Ｊの右端に配置された光ファイバ心線ｄが黄色に着色されている。
【００９３】
複合テープ心線７３では、単位テープ心線７３Ｃの右端に配置された光ファイバ心線ｄが薄緑色に着色され、他の単位テープ心線７３Ａ，７３Ｂ、７３Ｄ〜７３Ｊの右端に配置された光ファイバ心線ｄが緑色に着色されている。
【００９４】
複合テープ心線７４では、単位テープ心線７４Ｄの右端に配置された光ファイバ心線ｄが薄赤色に着色され、他の単位テープ心線７４Ａ〜７４Ｃ、７４Ｅ〜７４Ｊの右端に配置された光ファイバ心線ｄが赤色に着色されている。
【００９５】
複合テープ心線７５の場合には、単位テープ心線７５Ｅの右端に配置された光ファイバ心線ｄが薄紫色に着色され、他の単位テープ心線７５Ａ〜７５Ｄ、７５Ｆ〜７５Ｊの右端に配置された光ファイバ心線ｄが紫色に着色されている。
【００９６】
多心テープ心線７０を上記の配色パターンで配色することにより、複合テープ心線７１では青色が強調され、複合テープ心線７２では黄色が強調され、複合テープ心線７３では緑色が強調され、複合テープ心線７４では赤色が強調され、複合テープ心線７５では紫色が強調される。
【００９７】
このように、図１８に示す配色パターンの多心テープ心線７０によれば、まず、複合テープ心線７１〜７５を第２色で強調される色に基づいて識別し、複合テープ心線７１〜７５に含まれる各単位テープ心線を第１色に基づいて識別することにより識別作業性が向上する。また、図１８に示す配色パターンの多心テープ心線７０によれば、着色された光ファイバ心線の配置位置等を確認しなくても複合テープ心線７１〜７５と、複合テープ心線７１〜７５に含まれる各単位テープ心線を識別できるので識別作業が容易になる。
【００９８】
以上、上記構成の多心テープ心線によれば、４心の光ファイバ心線を並列に配置した単位テープ心線を５０本有し、１０本の単位テープ心線を並列に配置し、１０本の単位テープ心線を拘束する透光性の被覆材で１０本の単位テープ心線を拘束した複合テープ心線を５本備え、各単位テープ心線内の基準となる一端に配置された光ファイバ心線は、同じ複合テープ心線に含まれる各単位テープ心線ごとに異なる色の第1色で着色され、各単位テープ心線内の第1色で着色された光ファイバ心線以外の少なくとも１つの光ファイバ心線は、第２色で着色され、第２色は、同じ複合テープ心線に含まれる各単位テープ心線の間では同色系となり、異なる複合テープ心線に含まれる各単位テープ心線の間では異色となるようにし、各単位テープ心線に含まれる残りの光ファイバ心線は、第１色及び第２色に使用される色以外の色でかつＪＩＳＺ８７２９におけるＬ＊ａ＊ｂ＊表色系の彩度Ｃ＊が４０以下の色で着色されるか、または非着色であるので、各複合テープ心線は、第２色で強調される色で識別され、各複合テープ心線に含まれる各単位テープ心線は、第1色で識別される。
【００９９】
図１９は、多心テープ心線７０の他の配色パターンを示す図である。複合テープ心線７１の配色パターンは、図１４に示す配色パターンの多心テープ心線４０における複合テープ心線４１、４６の配色パターンを組み合わせて構成される。複合テープ心線７１は、複合テープ心線４１の単位テープ心線４１Ａ〜４１Ｅを単位テープ心線７１Ａ〜７１Ｅとし、複合テープ心線４６の単位テープ心線４６Ａ〜４６Ｅを単位テープ心線７１Ｆ〜７１Ｊとして構成されている。
【０１００】
複合テープ心線７１と同様にして、複合テープ心線７２の配色パターンは、図１４に示す配色パターンの多心テープ心線４０における複合テープ心線４１、４７の配色パターンを組み合わせて構成され、複合テープ心線７３の配色パターンは、図１４に示す配色パターンの多心テープ心線４０における複合テープ心線４３、４８の配色パターンを組み合わせて構成され、複合テープ心線７４の配色パターンは、図１４に示す配色パターンの多心テープ心線４０における複合テープ心線４４、４９との配色パターンを組み合わせて構成され、複合テープ心線７５の配色パターンは、図１４に示す配色パターンの多心テープ心線４０における複合テープ心線４５、５０との配色パターンを組み合わせて構成されている。
【０１０１】
多心テープ心線７０を図１９に示す配色パターンで配色することにより、複合テープ心線７１では青色が強調され、複合テープ心線７２では黄色が強調され、複合テープ心線７３では緑色が強調され、複合テープ心線７４では赤色が強調され、複合テープ心線７５では紫色が強調される。
【０１０２】
このように、図１９に示す配色パターンの多心テープ心線７０によれば、まず、複合テープ心線７１〜７５を第２色で強調される色に基づいて識別し、複合テープ心線７１〜７５に含まれる各単位テープ心線を第２色が着色された光ファイバ心線の位置と第１色とに基づいて識別することにより識別作業性が向上する。
【０１０３】
以上、上記構成の多心テープ心線によれば、４心の光ファイバ心線を並列に配置した単位テープ心線を５０本有し、１０本の単位テープ心線を並列に配置し、１０本の単位テープ心線を拘束する透光性の被覆材で１０本の単位テープ心線を拘束した複合テープ心線を５本備え、各単位テープ心線内の基準となる一端に配置された光ファイバ心線は、第1色で着色され、各単位テープ心線内の第1色で着色された光ファイバ心線以外の少なくとも１つの光ファイバ心線は、第２色で着色され、第２色は、同じ複合テープ心線に含まれる各単位テープ心線の間では同色系となり、異なる複合テープ心線に含まれる各単位テープ心線の間では異色となるようにし、同じ複合テープ心線に含まれる複数の単位テープ心線の第１色が同色である場合には、第２色は、お互いに異なる配置位置の光ファイバ心線に着色され、各単位テープ心線に含まれる残りの光ファイバ心線は、第１色及び第２色に使用される色以外の色でかつＪＩＳＺ８７２９におけるＬ＊ａ＊ｂ＊表色系の彩度Ｃ＊が４０以下の色で着色されるか、または非着色であるので、各複合テープ心線は、第２色で強調される色で識別され、前記各複合テープ心線に含まれる各単位テープ心線は、第２色が着色された光ファイバ心線の配置位置と、第１色とで識別される。
【０１０４】
図２０は、多心テープ心線７０の更に他の配色パターンを示す図である。複合テープ心線７１の配色パターンは、図１５に示す配色パターンの多心テープ心線４０における複合テープ心線４１、４６との配色パターンを組み合わせて構成される。複合テープ心線７１は、複合テープ心線４１の単位テープ心線４１Ａ〜４１Ｅを単位テープ心線７１Ａ〜７１Ｅとし、複合テープ心線４６の単位テープ心線４６Ａ〜４６Ｅを単位テープ心線７１Ｆ〜７１Ｊとして構成されている。
【０１０５】
複合テープ心線７１と同様にして、複合テープ心線７２の配色パターンは、図１５に示す配色パターンの多心テープ心線４０における複合テープ心線４２、４７の配色パターンを組み合わせて構成され、複合テープ心線７３の配色パターンは、図１５に示す配色パターンの多心テープ心線における複合テープ心線７３、７８の配色パターンを組み合わせて構成され、複合テープ心線７４の配色パターンは、図１５に示す配色パターンの多心テープ心線における複合テープ心線４４、４９の配色パターンを組み合わせて構成され、複合テープ心線７５の配色パターンは、図１５に示す配色パターンの多心テープ心線における複合テープ心線４５、５０の配色パターンを組み合わせて構成されている。
【０１０６】
多心テープ心線７０を図２０に示す配色パターンで配色することにより、複合テープ心線７１では青色が強調され、複合テープ心線７２では黄色が強調され、複合テープ心線７３では緑色が強調され、複合テープ心線７４では赤色が強調され、複合テープ心線７５では紫色が強調される。
【０１０７】
このように、図２０で示す配色パターンにより多心テープ心線７０を構成することにより、複合テープ心線７１〜７５は、第２色で強調される色に基づいて識別され、各複合テープ心線７１〜７５に含まれる各単位テープ心線は、第３色が着色された光ファイバ心線の有無と第１色とに基づいて識別されるので識別作業性が向上する。
【０１０８】
以上、上記構成の多心テープ心線によれば、４心の光ファイバ心線を並列に配置した単位テープ心線を５０本有し、１０本の単位テープ心線を並列に配置し、１０本の単位テープ心線を拘束する透光性の被覆材で１０本の単位テープ心線を拘束した複合テープ心線を５本備え、各単位テープ心線内の基準となる一端に配置された光ファイバ心線は、第1色で着色され、各単位テープ心線内の第1色で着色された光ファイバ心線以外の少なくとも１つの光ファイバ心線は、第２色で着色され、第２色は、同じ複合テープ心線に含まれる各単位テープ心線の間では同色系となり、異なる複合テープ心線に含まれる各単位テープ心線の間では異色となるようにし、同じ複合テープ心線に含まれる２つの単位テープ心線の第１色が同色である場合には、一方の単位テープ心線に含まれ、第1色で着色された光ファイバ心線及び第２色で着色された光ファイバ心線以外の光ファイバ心線に第１色及び第２色に使用される色以外の色でかつＪＩＳＺ８７２９におけるＬ＊ａ＊ｂ＊表色系の彩度Ｃ＊が４０以下の第３色を着色し、各単位テープ心線に含まれる残りの光ファイバ心線は、第１色、第２色及び第３色に使用される色以外の色でかつＪＩＳＺ８７２９におけるＬ＊ａ＊ｂ＊表色系の彩度Ｃ＊が４０以下の色で着色されるか、または非着色であるので、各複合テープ心線は、第２色で強調される色で識別され、各複合テープ心線に含まれる各単位テープ心線は、第３色が着色された光ファイバ心線の有無と、第１色とで識別される。
【０１０９】
図２１は、多心テープ心線７０の別な配色パターンを示す図である。複合テープ心線７１の配色パターンは、図１４に示す配色パターンの多心テープ心線４０における複合テープ心線４１、４２の配色パターンを組み合わせて構成されている。複合テープ心線７１は、複合テープ心線４１の単位テープ心線４１Ａ〜４１Ｅを単位テープ心線７１Ａ〜７１Ｅとし、複合テープ心線４２の単位テープ心線４２Ａ〜４２Ｅを単位テープ心線７１Ｆ〜７１Ｊとして構成されている。
【０１１０】
複合テープ心線７１と同様にして、複合テープ心線７２の配色パターンは、図１４に示す配色パターンの多心テープ心線４０における複合テープ心線４３、４４の配色パターンを組み合わせて構成され、複合テープ心線７３の配色パターンは、図１４に示す配色パターンの多心テープ心線４０における複合テープ心線４５、４６との配色パターンを組み合わせて構成され、複合テープ心線７４の配色パターンは、図１４に示す配色パターンの多心テープ心線４０における複合テープ心線４７、４８の配色パターンを組み合わせて構成され、複合テープ心線７５の配色パターンは、図１４に示す配色パターンの多心テープ心線４０における複合テープ心線４９、５０の配色パターンを組み合わせて構成されている。
【０１１１】
多心テープ心線７０を図２１に示す配色パターンで配色することにより、複合テープ心線７１では青色と黄色が強調され、複合テープ心線７２では緑色と赤色が強調され、複合テープ心線７３では紫色と青色が強調され、複合テープ心線７４では黄色と緑色が強調され、複合テープ心線７５では赤色と紫色が強調される。
【０１１２】
このように、図２１で示す配色パターンにより多心テープ心線７０を構成することにより、複合テープ心線７１〜７５は、第２色で強調される色に基づいて識別され、各複合テープ心線７１〜７５に含まれる各単位テープ心線は、第２色が着色された光ファイバ心線の配置位置や第１色等に基づいて識別されるので識別作業性が向上する。
【０１１３】
図２２は、多心テープ心線７０の更に別な配色パターンを示す図である。複合テープ心線７１の配色パターンは、図１５に示す配色パターンの多心テープ心線４０における複合テープ心線４１、４２との配色パターンを組み合わせて構成されている。複合テープ心線７１は、複合テープ心線４１の単位テープ心線４１Ａ〜４１Ｅを単位テープ心線７１Ａ〜７１Ｅとし、複合テープ心線４２の単位テープ心線４２Ａ〜４２Ｅを単位テープ心線７１Ｆ〜７１Ｊとして構成されている。
【０１１４】
複合テープ心線７１と同様にして、複合テープ心線７２の配色パターンは、図１５に示す配色パターンの多心テープ心線４０における複合テープ心線４３、４４の配色パターンを組み合わせて構成され、複合テープ心線７３の配色パターンは、図１５に示す配色パターンの多心テープ心線４０における複合テープ心線４５、４６の配色パターンを組み合わせて構成され、複合テープ心線７４の配色パターンは、図１５に示す配色パターンの多心テープ心線における複合テープ心線４７、４８の配色パターンを組み合わせて構成され、複合テープ心線７５の配色パターンは、図１５に示す配色パターンの多心テープ心線４０における複合テープ心線４９、５０の配色パターンを組み合わせて構成されている。
【０１１５】
多心テープ心線７０を図２２に示す配色パターンで配色することにより、複合テープ心線７１では青色と黄色が強調され、複合テープ心線７２では緑色と赤色が強調され、複合テープ心線７３では紫色と青色が強調され、複合テープ心線７４では黄色と緑色が強調され、複合テープ心線７５では赤色と紫色が強調される。
【０１１６】
このように、図２２で示す配色パターンにより多心テープ心線７０を構成することにより、複合テープ心線７１〜７５は、第２色で強調される色に基づいて識別され、各複合テープ心線７１〜７５に含まれる各単位テープ心線は、第３色が着色された光ファイバ心線の有無や第１色等に基づいて識別されるので識別作業性が向上する。
【０１１７】
なお、複合テープ心線には、他の構成の複合テープ心線を用いてもよい。図２３は、他の複合テープ心線の構成を示す断面図である。複合テープ心線８０は、２０本の光ファイバ心線を並列に配置し、２０本の光ファイバ心線を被覆材８１で拘束した構成を有している。複合テープ心線８０は、一端から順に４本の光ファイバ心線ａ〜ｄで一つの単位集合心線を形成し、合計で５つの単位集合心線で構成されている。
【０１１８】
図２４は、更に他の複合テープ心線８２の構成を示す断面図である。複合テープ心線８２は、２０本の光ファイバ心線を並列に配置し、２０本の光ファイバ心線を被覆材８３で拘束した構成を有している。複合テープ心線８２は、一端から順に４本の光ファイバ心線ａ〜ｄで一つの単位集合心線を形成し、合計で５つの単位集合心線で構成されている。被覆材８３は、例えば、２０本の光ファイバ心線に略同じ厚みで被覆されている。そのため、複合テープ心線８２の表面は、各光ファイバ心線の間が窪んだ凹凸状に形成されている。このように、複合テープ心線の表面は、図２３に示す複合テープ心線８０の表面のように平坦だけでなく、凹凸状に形成されてもよい。
【０１１９】
図２５は、別な複合テープ心線８４の構成を示す断面図である。複合テープ心線８４は、図１に示す多心テープ心線１０を構成する複合テープ心線１１〜１５に対して、隣接する単位テープ心線の間に凹部８５を形成するように被覆材２２で各単位テープ心線を拘束して構成されている。凹部８５は、複合テープ心線８４の両面に形成されることが好ましい。複合テープ心線８４における隣接する単位テープ心線の間に凹部８５を設けることにより、各単位テープ心線ごとに分離する時に、凹部８５から折り曲げることにより容易に各単位テープ心線を分離することができる。
【０１２０】
次に、多心テープ心線を用いた光ケーブルについて説明する。図２６は、光ケーブル９０の構成を示す断面図である。光ケーブル９０は、ケーブルコア９２と、ケーブルコア９２の外周にポリエチレン樹脂等の合成樹脂で形成した外被９４と、を備えている。ケーブルコア９２は、多心テープ心線１０と、多心テープ心線１０を収容する筒状のチューブ９６とを有している。チューブ９６は、例えば、ポリエチレン樹脂等の合成樹脂で円筒状に形成される。多心テープ心線１０は、５つの複合テープ心線１１〜１５が順に積層した状態でチューブ９６に収容されている。チューブ９６の内壁と多心テープ心線１０との間には、隙間９８が設けられている。隙間９８は、合成樹脂等の充填材で充填されてもよい。
【０１２１】
次に、多心テープ心線を用いた他の光ケーブルについて説明する。図２７は、光ケーブル１００の構成を示す断面図である。光ケーブル１００は、ケーブルコア１０２と、ケーブルコア１０２の外周にポリエチレン樹脂等の合成樹脂で形成した外被１０４と、を備えている。ケーブルコア１０２は、ポリエチレン樹脂等の合成樹脂で形成した長尺のスロット１０６を備えている。スロット１０６は、その中心部に抗張力体１０８を有している。スロット１０６は、スロット１０６の外周に所定の間隔で形成され、多心テープ心線１０を収容するためのスロット溝１１０が設けられている。スロット１０６は、例えば、スロット１０６の外周に略等間隔で３個のスロット溝１１０が形成される。スロット溝１１０は、例えば、長手方向に沿ってＳＺ撚り状に形成されている。また、スロット溝１１０は、長手方向に対して直交方向の溝断面が略矩形状に形成されている。各スロット溝１１０には、多心テープ心線１０が収容される。多心テープ心線１０は、５つの複合テープ心線１１〜１５が順に積層した状態でスロット溝１１０に収容されている。
【０１２２】
上記の光ケーブル９０、１００をコネクタ接続等するために外被９４、１０４を剥いで多心テープ心線１０を取り出したときに、多心テープ心線１０を構成する複数の複合テープ心線１１〜１５が積層されている場合でも、上述した第２色で強調される色等に基づいて各複合テープ心線１１〜１５を識別できるので識別作業を容易に行うことができる。
【符号の説明】
【０１２３】
１０、４０、７０  多心テープ心線
２２、２４、８１、８３  被覆材
８５  凹部
９０、１００  光ケーブル
９２、１０２  ケーブルコア
９４、１０４  外被
９６  チューブ
９８  隙間
１０６  スロット
１０８  抗張力体
１１０  スロット溝
【図１】
2011175100.tif 000003
【図２】
2011175100.tif 000004
【図３】
2011175100.tif 000005
【図４】
2011175100.tif 000006
【図５】
2011175100.tif 000007
【図６】
2011175100.tif 000008
【図７】
2011175100.tif 000009
【図８】
2011175100.tif 000010
【図９】
2011175100.tif 000011
【図１０】
2011175100.tif 000012
【図１１】
2011175100.tif 000013
【図１２】
2011175100.tif 000014
【図１３】
2011175100.tif 000015
【図１４】
2011175100.tif 000016
【図１５】
2011175100.tif 000017
【図１６】
2011175100.tif 000018
【図１７】
2011175100.tif 000019
【図１８】
2011175100.tif 000020
【図１９】
2011175100.tif 000021
【図２０】
2011175100.tif 000022
【図２１】
2011175100.tif 000023
【図２２】
2011175100.tif 000024
【図２３】
2011175100.tif 000025
【図２４】
2011175100.tif 000026
【図２５】
2011175100.tif 000027
【図２６】
2011175100.tif 000028
【図２７】
2011175100.tif 000029